(57)【要約】【課題】超解像現象等を利用する従来よりも高密度で、かつ高速に記録・書き換え、および再生が可能な光記録再生装置及び光情報記録媒体を提供する。【解決手段】光ビーム発生部によって複数の光ビームを発生させ、この複数の光ビームの中心軸をずらして重ね合わせ、光強度が増加した部分を有する合成ビームを形成し、この合成ビームを超解像現象を利用する光情報記録媒体に照射することを特徴とする光記録再生装置。【選択図】図１
2008171500.tif 000002
【特許請求の範囲】
【請求項１】
複数の光ビームを発生する光ビーム発生部と、
前記複数の光ビームの中心軸をずらして重ね合わせ、光強度が増加した部分を有する合成ビームを形成する光ビーム合成手段と、
前記合成ビームを超解像現象を利用する光情報記録媒体に照射する光照射手段
を備えることを特徴とする光記録再生装置。
【請求項２】
前記光ビーム合成手段は、複数の合成ビームを形成すること
を特徴とする請求項１に記載の光記録再生装置。
【請求項３】
前記光ビーム合成手段は、前記複数の合成ビームを前記光情報記録媒体のほぼ半径方向に配列すること
を特徴とする請求項２に記載の光記録再生装置。
【請求項４】
前記光ビーム合成手段は、液晶セル、ホログラム素子（HOE）、回折光学素子（DOE）、空間光変調器（SLM）、デジタル・マイクロ・ミラー・デバイス（DMD）等の光学部品を備え、前記合成ビームの強度または照射位置をアクティブに可変させる手段を備えること
を特徴とする請求項１乃至請求項３のいずれか１項に記載の光記録再生装置。
【請求項５】
光情報記録層を有し、超解像現象を利用する光情報記録媒体であって、
前記光情報記録層はランド及びグルーブを有し、
請求項１乃至請求項４のいずれか１項に記載の光記録再生装置を用いて、少なくとも前記ランドまたはグルーブのいずれか一方の半径方向に複数のビットまたはマークを形成されていること
を特徴とする光情報記録媒体。
【発明の詳細な説明】
【技術分野】
【０００１】
本発明は、光記録再生装置および光記録媒体に関する。
【背景技術】
【０００２】
（ビット・ピッチ、トラック・ピッチの狭小化による大容量化）
従来から、より多くの記録容量を有し、高速に記録、再生が可能な光情報記録媒体を得る技術が求められている。一つの記録層に記録できる情報の量、すなわち記録容量を増すためには、以下の二通りの方法が考えられる。
【０００３】
一つの方法は、(a)トラック方向の記録マークのピッチ（いわゆるビット・ピッチ）を微細化する方法である。しかし、微細化の程度が進むとビット・ピッチが再生ビームの大きさよりも小さくなる領域に至り、再生ビームスポット内に２つの記録マークが一時的に含まれる場合が生じる。記録マークが互いに十分離れている場合には、再生信号が大きく変調され、振幅の大きい信号が得られる。しかし、記録マークが互いに近接している場合には、振幅の小さい信号となり、デジタルデータへの変換の際にエラーを生じやすい。
【０００４】
もう一つの方法は、(b)トラック・ピッチを狭小化することである。この方法は、上述したビット・ピッチの微細化による信号強度低減の影響を大きく受けることなく、記録密度を上げることができる。しかし、この方法の問題点は、トラック・ピッチが光ビームの大きさにくらべて同程度か小さい領域においては、あるトラックの情報が隣接したトラックに再生、書き込みまたは消去動作を行っている際に劣化してしまう、いわゆるクロストーク、クロスイレースが発生することである。
【０００５】
つまり、方法(a)、(b)いずれの方法においても、用いる光の波長、および対物レンズの開口数(NA)による密度の限界、いわゆる光学系の回折限界がある。この回折限界を超えて、より短いマーク長の信号を記録再生する方法の一つとして、記録、再生装置の有する光学系の回折限界より短いマーク長の信号を記録、再生を可能にする光情報記録媒体（以降、超解像(SR)光情報記録媒体と呼ぶ）が開発されている。（例えば、特許文献１参照）このようなSR光情報記録媒体としては、少なくとも基板上に保護膜、超解像層、もしくは記録・再生部位選択層、記録・再生層、反射層を積層させた構成を有し、基板側から記録、再生レーザーを照射することで、超解像層、もしくは記録・再生部位選択層に発現する光学特性の分布等を利用して、記録・再生層、および反射層に到達するレーザースポットを擬似的に縮小する方法が利用されている。
【０００６】
すなわち、超解像層、もしくは記録・再生部位選択層に発現する光学特性の分布等により記録、再生層面上に照射された記録、再生レーザーのレーザースポット内には、光強度分布があり、そのため同時に温度分布が生じている。そこで記録、再生層として、温度または光強度により透過率、反射率、複素屈折率等の光学特性が変化する材料を用いることで、例えば高温領域、光強度が高い領域となるレーザースポットの一部の透過率のみを上げることができる。記録、再生層において、レーザースポットの一部分の透過率のみが高くなると、記録・再生層、および反射層にはレーザースポットの一部分のみが照射され、記録・再生層、および反射層面上に生じるレーザースポットが擬似的に縮小される。したがって、上記のSR光情報記録媒体では、結果的に光学系の回折限界より短いマーク長の信号を記録、再生することができるという技術である。
【０００７】
しかし、SR光情報記録媒体においては、上記原理に従うため、フォーカスおよびトラッキングは縮小化されたピット、またはマーク等の記録信号へ照射された光のみでは行えず、照射したビーム全体、すなわち回折限界以上のビームを用いて行われる。そのため、SR光情報記録媒体は、トラックに沿った記録密度、いわゆるビット・ピッチを狭小化して密度を上げる技術であって、半径方向の密度、すなわちトラック・ピッチを狭小化することは原理的にできない。
【特許文献１】特開２００４−３５５７８３号
【発明の開示】
【発明が解決しようとする課題】
【０００８】
本発明は、前記した問題点にかんがみてなされたものである。従来のSR光情報記録媒体においては、原理的に難しかった半径方向の密度、すなわちトラック・ピッチを狭小化でき、従来よりも高密度かつ、高速に記録・書き換えおよび再生が可能な光記録再生装置および光情報記録媒体を提供することを目的とする。
【課題を解決するための手段】
【０００９】
本発明の光記録再生装置は、複数の光ビームを発生する光ビーム発生部と、前記複数の光ビームの中心軸をずらして重ね合わせ、光強度が増加した部分を有する合成ビームを形成する光ビーム合成手段と、前記合成ビームを超解像現象を利用する光情報記録媒体に照射する光照射手段を備えることを特徴とする。
【００１０】
本発明の光情報記録媒体は、光情報記録層を有し、超解像現象を利用する光情報記録媒体であって、前記光情報記録層はランド及びグルーブを有し、光強度が増加した部分を有する合成ビームを形成する光ビーム合成手段を備えた光記録再生装置を用いて、少なくとも前記ランドまたはグルーブのいずれか一方の半径方向に複数のビットまたはマークを形成されていることを特徴とする。
【発明の効果】
【００１１】
本発明によれば、従来よりも高密度かつ、高速に記録・書き換えおよび再生が可能な光記録再生装置および光情報記録媒体が得られる。
【発明を実施するための最良の形態】
【００１２】
以下、本発明の実施形態について、図面を参照しつつ詳細に説明する。尚、以後の説明では、同一の部分には同一の符号を付すものとし、重複する説明は省略する。また、本明細書中では光記録再生装置とは、光記録専用装置、光再生専用装置及び、記録及び再生が可能な光記録再生装置の何れであってもよい。
【００１３】
（第１実施形態）
まずは、本実施形態に用いた光ビームを発生、合成及び照射する光学系について説明する。本実施形態では、図１に示すように3つの青紫色半導体レーザーLD（波長405nm）から構成される光ビーム発生部から出射された3つの光ビームを合波した。LD１０１とLD１０２から出射された光ビームは、２つの偏光ビームスプリッタ（PBS５）によって反射され、LD１０３から出射された光ビームとともに、それぞれ中心軸をずらした状態で対物レンズ３（NA＝0.65）に導かれる。対物レンズによって、合波された合成ビームが光情報記録媒体１に照射される。また、各種光学部品を用いて本実施形態と違う方法で光ビームを分波、合波する方式も考えられる。図２はその一例を示す。図２（ａ）は、ホログラム素子ＨＯＥ７（あるいは回折光学素子(DOE)、空間光変調器(SLM)）を用いた例である。図２（ｂ）はデジタル・マイクロ・ミラー・デバイスDMD８用いた例である。図２（ｃ）は、カプラー９（まははサーキュレーター）を用いた例である。回折限界以上の通常のビームにてフォーカスされ、その後回折限界以下の領域の情報を用いてトラッキングが行われる。また、複数ではなく、単一のLDから出射された光ビームを各種光学部品で分波してから、再び合波することもできる。
【００１４】
次に、本実施形態に用いた光情報記録媒体を説明する。本実施形態では、図３に示す片面単層の再生専用の光情報記録媒体を用いた。光入射側の透明基板１１の上に、超解像効果を誘起し、回折限界以下の微小領域を読み出し領域として選択することを可能とする層(以下SR層１２と呼ぶ)、反射膜１３の順に積層されている。情報は、光入射側の透明基板１１に形成するか、もしくは反射膜１３側の基板に形成できる。本実施形態では、SR層１２にはZnO膜、反射膜１３にはAl合金を用いた。このときのトラック・ピッチは0.3〜0.4[μm]とした。また、SR層にZnO/Si膜を用いることもできる。その場合、より高い超解像効果が得られる。再生専用媒体への情報の記録、すなわちピットの形成には、いわゆる電子ビーム・マスタリング、または相変化マスタリング(PTM)を用いた。
【００１５】
また、評価装置には、本実施形態に用いた光学系から得られる信号を検出する系を備えてある。
【００１６】
図４は、本実施形態による合成光ビームを光情報記録媒体上に照射した場合のビーム・プロファイル(またはビーム形状)を示す。縦軸は、用いた光ビームの媒体上でのビーム強度を示し、横軸は半径位置を用いたビーム径の半値幅に比例するビーム強度をガウシアン分布と近似したときの標準偏差σで規格化した値を示している。ビーム・プロファイルは、用いるレーザーそのものの性質にも関係するが用いる光学系により異なる。以下で説明する複数のビームをそれぞれの中心軸をずらして重ねる量については、所望の光照射強度分布になるように、レーザー及び対物レンズ等の光学系を選択、調整することによって実現される。図4に示すような関係になることが好適であった。また、以下で説明する更に発展系の図5、14等でも同様である
本実施形態では、光情報記録媒体のトラック４１、４２、４３（トラック１、２，３と呼ぶ）に、3本の光ビーム２１を用いて、それぞれの中心軸をずらして重ねるように照射して光照射強度が強い領域２５を有する一つの合成ビームを形成している例であるが、2本の光ビーム、あるいは更に増やして4本以上にすることもできる。なお、形成可能なビーム・プロファイルの例としては、図５などがあるが、本発明は、ビーム・プロファイルの形状に依存するものではないため、これらに限定されない。本発明は、ビーム形状を所望の形態にすることで、回折限界以下の微小な領域の情報を取り出し、これらに対してトラッキング、記録、再生等を行う技術である。
【００１７】
また、後述のように複数のビームを用いて超解像等を利用して書き込み、読み出し領域を選択するが、選択する領域を単一ビームのときより格段に自由に制御できるようになる。ビーム・プロファイル中の光強度分布は、それぞれのビーム強度のみならず、位相を制御することでも可変が可能である。このことによりビーム形状を制御できる。本実施形態の場合、３本の光ビームが重ねて照射しているところにビーム強度が高い領域２５が形成される。
【００１８】
図４のビーム・プロファイルを用いて記録情報へアクセスした場合、光情報記録媒体上の温度分布を熱解析により求めると、図６のようになる。記録ピット等の情報へアクセスできる領域、いわゆるアイ２９は従来のSR光情報記録媒体と同様な原理で形成される。光の強度に応じて温度が異なる領域３１、３２、３３、３４が形成され、Ｔ３１＞Ｔ３２＞Ｔ３３＞Ｔ３４である。図7は、各ビット長に対応したCNRを示した。CNRが40[dB]以上ならば良好と判断できる。本実施形態の場合、線ａから分かるように回折限界以下のビット長(0.2[μm]以下)においても良好な再生信号を得ることができる。また、図７に示した比較例（線ｂ）は、従来のSR光情報記録方式ではない反射膜のみの通常の光情報記録媒体に対して通常の光学系を用いて測定した結果である。
【００１９】
次に、本実施形態の光学系を用いて、よりトラック・ピッチ(TP)を詰めた光情報記録媒体について実験を実施したところ、TP/NAが0.61〜0.15までトラッキングが可能であることが分かった。従って、従来のビット・ピッチを詰めて高密度化するだけでなく、トラック・ピッチも詰めて高密度化が可能であり、より大容量化が可能である。また、片面２層、３層など多層媒体でも同様に高密度化が可能である。
【００２０】
また、光情報記録媒体の線速を速めると、よりアイのトラック方向の大きさが小さくなる。このことは、より高密度媒体がより高線速で記録、再生できることを示している。従って、より高転送レート化が可能である。このことを確認するために線速を2倍、すなわち、2倍速の転送レートにて再生を行った。図8はCNRのビット長依存性を示している。図８の線ａで分かるように良好な再生信号を得ることができる。なお、この媒体の再生パワーを、5.6[mW]で実施した。また、線速を可変させる検討の結果から光ビームの照射方法を検討することにより1Xの線速においても更なる微細化は可能であることが分かった。
【００２１】
（比較例）
次に第１実施形態の比較例を示す。第１実施形態と同様な片面単層再生専用媒体について、通常のSR光情報記録媒体と同様に、一つのLD用いた従来と同様な光学系を用いて読み出し実験を試みた。第１実施形態と同様な読み出しは可能であるが、分解能は本実施形態より劣る。また、長時間の読み出し実験を実施するとLDの劣化により、特性も低下した。さらに、トラック・ピッチを詰めて、0.13[μm]とした場合は、フォーカス信号はかろうじて得られるもののトラッキングをかけることができなかった。これはやはりフォーカスおよびトラッキングは、回折限界以上のビームにて行うため、ビームスポット中、特に中心部分においても複数のトラックが存在することになるため、プッシュプルやDPD(位相差法)等のトラッキング信号を従来のトラック・ピッチの広いものと同様に得られることができないためと考えられる。従って、大容量化は、トラック・ピッチをいかに詰められるかと言うことになる。従来例の場合は、図9のような温度分布になるため、トラック・ピッチを詰めることは難しい。
【００２２】
（第２実施形態）
本実施形態では、第１実施形態と同様な光学系を用いて、同様な合成ビーム・プロファイルを片面単層の書き換え型光情報記録媒体上に形成させ、トラッキング及び記録実験を実施した。
【００２３】
本実施形態に用いた片面単層の書き換え型光情報記録媒体の構成を図１０に示す。光入射側から、透明基板１１、誘電体保護膜１４、相変化膜１５、誘電体保護膜１４、酸化亜鉛系化合物、酸化銀系化合物、酸化白金系化合物、GeTe系化合物とAgInTe系化合物のいずれかからなるSR層１２、誘電体保護膜１４、相変化膜１５、誘電体保護膜１４の順に積層されている。本実施形態では、SR層１２は、PtOx(x=1〜2)を用いた。相変化膜１５としては、GeBiTeIn系を用いた。誘電体膜１４にはZnS-SiO2を用いた。トラック・ピッチは、0.3〜0.4[μm]、すなわち、グルーブ・ピッチは、0.6〜0.8[μm]である。
【００２４】
図１１は、各ビット長に対応したCNRを示した。線ａから分かるように、第１実施形態と同様にCNRが40[dB]以上ならば良好と判断できる。隣接するトラックから独立に再生信号を得られ、かつ回折限界以下のビット長においても良好な再生信号を得ることができた。
【００２５】
（変形例）
第２実施形態と同様なビーム・プロファイルを用いて、片面二層の光情報記録媒体への記録実験も実施した。記録にはLDのパワーが必要なため、本実施形態では合計6個のLDを用いた。本実施形態に用いた光ビームを発生、合成及び照射する光学系の一例を図１２で示す。本実施形態の方式ではこのように実行パワーを複数個のLDを用いることで、増すことができたため、記録実験が可能であった。
【００２６】
（第３実施形態）
まずは、本実施形態に用いた光ビームを発生、合成及び照射する光学系について説明する。本実施形態では、図１３に示すように４つの青紫色半導体レーザーLD（波長405nm）を用いて合波した。LD１０１、LD１０２及びLD１０３から出射された光ビームは、３つの偏光ビームスプリッタ（PBS５）によって反射され、LD１０４から出射された光ビームと、それぞれ中心軸をずらした状態で対物レンズ３（NA＝0.65）に導かれる。対物レンズによって、合波された複数の合成ビームが光情報記録媒体１に照射される。また、各種光学部品を用いて本実施形態と違う方法で光ビームを分波、合波する方式も考えられる。用いる光学部品としては、第１の実施形態と同じように、ホログラム素子(HOE)、回折光学素子(DOE)、空間光変調器(SLM)、デジタル・マイクロ・ミラー・デバイス(DMD)等が可能である。回折限界以上の通常のビームにてフォーカスされ、その後回折限界以下の領域の情報を用いてトラッキングが行われる。また、複数ではなく、単一のLDから出射された光ビームを各種光学部品で分波してから、再び合波することもできる。
【００２７】
本実施形態に用いた光情報記録媒体は第１実施形態と同じ片面単層の再生専用媒体である。このときのトラック・ピッチも0.3〜0.4[μm]とした。再生専用媒体への情報の記録、すなわちピットの形成には、いわゆる電子ビーム・マスタリング、または相変化マスタリング(PTM)を用いた。
【００２８】
また、評価装置には、本実施形態に用いた光学系から得られる信号を検出する系を備えてある。
【００２９】
図１４は、本実施形態による合成光ビームを光情報記録媒体上に照射した場合のビーム・プロファイル(またはビーム形状)を示す。本実施形態では、４本の光ビームを用いて、それぞれの中心軸をずらして重ねるように照射して３つの合成ビームを形成している例であるが、５本の光ビーム、あるいは更に増やして６本以上にすることもできる。
【００３０】
図１４のビーム・プロファイルを用いて記録情報へアクセスした場合、光情報記録媒体上の温度分布を熱解析により求めると、図１５のようになる。記録ピット等の情報へアクセスできる領域、いわゆるアイ２９は従来のSR光情報記録媒体と同様な原理で形成される。図１６は、各ビット長に対応したCNRを示した。CNRが40[dB]以上ならば良好と判断できる。この図から分かるように、トラック１、２、３ともに回折限界以下のビット長(0.2[μm]以下)においても良好な再生信号を得ることができる。
【００３１】
なお、形成可能なビーム・プロファイルの例としては、図１７などがあるが、本発明は、ビーム・プロファイルの形状に依存するものではないため、これらに限定されない。用いる光学部品としては、第１の実施形態と同じように、ホログラム素子(HOE)、回折光学素子(DOE)、空間光変調器(SLM)、デジタル・マイクロ・ミラー・デバイス(DMD)等が可能であるが、特にSLM、DMD等を用いるとビーム・プロファイルの位置をアクティブに可変することが可能である。よって、記録、再生するマークの位置をアクティブに可変させて選択して、記録、および再生することが可能となる。複数のトラックを同時に読み込みが可能であれば、転送レートを同時に読み出した分だけ向上させることができる。例えば、二つのトラックを同時に読み出せば、ほぼ2Xの転送レートに相当する。また、それぞれのビームを独立に動作させればより効率的な読み込みが可能であり、更にアクセスタイムを低減でき、より効果が大きくなる。また、片面２層、３層など多層媒体でも同様に高密度化が可能である。
【００３２】
（第４実施形態）
本実施形態は、第３実施形態と同様な光学系を用いて、片面単層の書き換え型光情報記録媒体への記録実験を行った。本実施形態に用いた片面単層の書き換え型光情報記録媒体は図１８のように、光入射側に透明基板１１、誘電体保護膜１４、相変化膜１５、誘電体保護膜１４、SR層１２、誘電体保護膜１４、相変化膜１５、誘電体保護膜１４、反射膜１３からなる。SR層１２には、酸化亜鉛系化合物、酸化銀系化合物、酸化白金系化合物、GeTe系化合物とAgInTe系化合物のいずれかを用いた。いずれの場合も下記に示すように良好な特性が得られる。以下の例では、SR層１２にはPtOx(x=1〜2)、相変化膜１５としては、GeInSbTe系、誘電体膜１４にはZnS-SiO2を用いた。トラック・ピッチは、0.3〜0.4[μm]、すなわち、グルーブ・ピッチは、0.6〜0.8[μm]である。
【００３３】
第３実施形態と同様なビーム・プロファイルを媒体上に形成させ、トラッキングを行い、記録実験を実施した。図１９は、各ビット長に対応したCNRを示した。第１実施形態と同様にCNRが40[dB]以上ならば良好と判断できる。隣接するトラックから独立に再生信号を得られ、かつ回折限界以下のビット長においても良好な再生信号を得ることができた。
【００３４】
（変形例）
また、片面二層光情報記録媒体についての記録実験も実施した。本実施形態に用いた片面二層光情報記録媒体は第２実施形態と同様である。記録にはLDのパワーが必要なため、本実施形態では合計10個のLDを用いた（図示せず）。本発明の方式ではこのように実行パワーをLDを複数個用いることで、増すことができたため、記録実験が可能であった。これは従来技術では、困難であり、本発明の進歩性の一端を示しているもと言える。また、各トラックへのアクセスを独立に行うことで、転送レートを向上させることができる。
【００３５】
（第５実施形態）
本実施形態では、第１実施形態と同様な光学系を用いて、片面単層の再生専用の光情報記録媒体への再生実験を行った。図２０にこの光情報記録媒体の構造を示す。本実施形態に用いた媒体のランド（グルーブ）が基板に形成され、その一つのランド（グルーブ）内に複数のピット列が形成され、それらのトラック・ピッチは0.13[μm]とした。本実施形態におけるSR層には、ZnO/Ni膜、反射膜にはAl合金を用いた。本媒体では、基板のランド、グルーブからの回折光を用いてもトラッキングが可能である。実施形態1と同様に実験を進め、図２１は、各ビット長に対応したCNRを示した。CNRが40[dB]以上ならば良好と判断できる。線ａから分かるように回折限界以下のビット長においても良好な再生信号を得ることができる。なお、この媒体の再生パワーは、4.5[mW]で実施した。
【００３６】
以上、本発明を適用した実施形態を説明してきた。
【００３７】
これらの実施形態では、透明な基板を用いたが、基板上に各種の膜を成膜し、その上に0.1mm程度の薄い透明シートを接着し、その透明シートを介して光を入射する形式の媒体（このような媒体は0.85程度の高NAの対物レンズを用いることを想定している）であってもよい。これは、光入射側に0.1mm程度の薄い透明カバー層を用いる場合でも、本発明にて主に用いた0.6mmの透明基板を用いる場合でも、用いられる構成材料に要求される特性としては大きな違いは無いからである。光入射側の基板厚は、光ピックアップの対物レンズのNAの大きさに応じて、0.1[mm]程度の極薄の場合から0.6[mm]程度の場合まで可能である。なお、本発明の光記録再生方法、該記録再生方法を用いた光記録再生装置、および光記録媒体は、NAが大きい時、例えばNA=0.85、より比較的小さい場合、例えばNA=0.6〜0.7、の方がより効果が顕著である。すなわち、NA=0.85等のNAの大きな対物レンズを用いてレーザースポットをより絞らなくても、NA=0.6〜0.7等程度のNAを有する対物レンズを用いても、超解像効果等により、回折限界以下の領域が選択されるため大容量化が可能である。フォーカス、トラッキング等の特性も考慮するとNA=0.6〜0.7程度の方がよりメリットが大きい。
【００３８】
その他、本発明の思想の範疇において、当業者であれば、各種の変更例及び修正例に想到し得るものであり、それら変更例及び修正例についても本発明の範囲に属するものと了解される。
【図面の簡単な説明】
【００３９】
【図１】本発明の第１実施形態の光学系配置の例
【図２】各種光学部品を用いて複数のLDから出射されたビームを分波、合波する方式の例
【図３】本発明の第１実施形態のＳＲ光記録媒体の構成例
【図４】本発明の第１実施形態のビーム・プロファイルの例
【図５】本発明の第１実施形態のビーム・プロファイルの例
【図６】本発明の第１実施形態の温度分布の解析例
【図７】本発明の第１実施形態のCNRのビット長依存性
【図８】本発明の第１実施形態のCNRのビット長依存性(高線速条件)
【図９】温度分布の解析例
【図１０】本発明の第２実施形態のＳＲ光記録媒体の構成例
【図１１】本発明の第２実施形態のCNRのビット長依存性
【図１２】本発明の第２実施形態の変形例の光学系配置の例
【図１３】本発明の第３実施形態の光学系配置の例
【図１４】本発明の第３実施形態のビーム・プロファイルの例
【図１５】本発明の第３実施形態の温度分布の解析例
【図１６】本発明の第３実施形態のCNRのビット長依存性
【図１７】本発明の第３実施形態のビーム・プロファイルの例
【図１８】本発明の第４実施形態のＳＲ光記録媒体の構成例
【図１９】本発明の第４実施形態のCNRのビット長依存性
【図２０】本発明の第５実施形態のＳＲ光記録媒体の構成例
【図２１】本発明の第５実施形態のCNRのビット長依存性
【符号の説明】
【００４０】
1…光情報記録媒体、３…対物レンズ、５…ＰＢＳ、７…ＨＯＥ、ＤＯＥ、ＳＬＭ、８…デジタル・マイクロ・ミラー・デバイスＤＭＤ、９…カプラー、またはサーキュレーター、１０…光照射ビーム、１１…光入射側基板（ＰＣ基板）、１２…超解像膜、または読取り、書込み領域選択膜、１３…反射膜、１４…誘電体保護膜、１５…相変化膜、２１…光照射ビームスポット、２３…ピット、またはマーク、２５…光照射ビーム強度の高い領域、２７…光照射ビームの強度分布、２９…光学変化が最も大きい領域、３１…Ｔ１領域、３２…Ｔ２領域、３３…Ｔ３領域、３４…Ｔ４領域、４１…トラック１、４２…トラック２、４３…トラック３、１０１…LD、１０２…LD、１０３…LD
【図１】
2008171500.tif 000003
【図２】
2008171500.tif 000004
【図３】
2008171500.tif 000005
【図４】
2008171500.tif 000006
【図５】
2008171500.tif 000007
【図６】
2008171500.tif 000008
【図７】
2008171500.tif 000009
【図８】
2008171500.tif 000010
【図９】
2008171500.tif 000011
【図１０】
2008171500.tif 000012
【図１１】
2008171500.tif 000013
【図１２】
2008171500.tif 000014
【図１３】
2008171500.tif 000015
【図１４】
2008171500.tif 000016
【図１５】
2008171500.tif 000017
【図１６】
2008171500.tif 000018
【図１７】
2008171500.tif 000019
【図１８】
2008171500.tif 000020
【図１９】
2008171500.tif 000021
【図２０】
2008171500.tif 000022
【図２１】
2008171500.tif 000023